(57)【特許請求の範囲】
【請求項１】
生体の一部をカフを用いて圧迫したときに動脈から得られる心拍同期波に基づいて該生体の血圧値を測定する自動血圧測定手段を備えた自動血圧測定装置であって、
前記生体の脈波伝播速度に関連する脈波伝播速度関連値を逐次検出する脈波伝播速度関連値検出手段と、
前記生体の心拍周期に関連する心拍周期関連値を逐次検出する心拍周期関連値検出手段と、
該心拍周期関連値検出手段により検出された心拍周期関連値のゆらぎを周波数解析して該ゆらぎの低周波数成分および高周波数成分の周波数成分比を算出する心拍周期関連値周波数解析手段と、
前記脈波伝播速度関連値検出手段により検出された脈波伝播速度関連値の所定時間区間内における変化値と、前記心拍周期関連値周波数解析手段により算出された低周波数成分および高周波数成分の周波数成分比の所定時間区間内における変化値とを共に出力する出力制御手段と
を、含むことを特徴とする自動血圧測定装置。
【請求項２】
前記生体に装着する複数の電極を有し、該複数の電極に発生する信号に基づいて心電誘導波を出力する心電誘導装置と、前記生体の一部に装着されて該生体の動脈内を伝播する脈波を検出する脈波センサとを備え、
前記脈波伝播速度関連値検出手段は、該心電誘導波に含まれるＲ波の発生時点から前記脈波センサによる脈波の検出時点までの時間差に基づいて脈波伝播速度関連値を検出するものであることを特徴とする請求項１の自動血圧測定装置。
【請求項３】
前記心電誘導装置の前記複数の電極の少なくとも一部は、前記カフの内周面に配置されており、
前記脈波センサは前記カフ内の圧力振動を用いて脈波を検出するものであることを特徴とする請求項２の自動血圧測定装置。
【請求項４】
前記心拍周期関連値検出手段は、前記心電誘導波に含まれるＲ波の発生時点間隔に基づいて心拍周期関連値を検出するものであることを特徴とする請求項２または３の自動血圧測定装置。
【請求項５】
前記出力制御手段は、前記脈波伝播速度関連値の所定時間区間内における変化値を示す軸と、前記心拍周期関連値の低周波数成分および高周波数成分の周波数成分比の所定時間区間内における変化値を示す軸とを含む二次元座標において、該脈波伝播速度関連値の所定時間区間内における変化値と該心拍周期関連値の低周波数成分および高周波数成分の周波数成分比の所定時間区間内における変化値とを示す点を繰り返し表示出力するものであることを特徴とする請求項１乃至４のいずれか１の自動血圧測定装置。
【請求項６】
前記出力制御手段は、前記自動血圧測定手段による血圧測定時点からの、前記脈波伝播速度関連値の変化値、および、前記心拍周期関連値の低周波数成分および高周波数成分の周波数成分比の変化値とを示す点を算出し、所定の時間間隔で繰り返し表示出力するものであることを特徴とする請求項１乃至５のいずれか１の自動血圧測定装置。
【請求項７】
前記自動血圧測定手段による血圧測定が実行された後であって、前記脈波伝播速度関連値検出手段により検出された脈波伝播速度関連値の所定時間区間内における変化値と前記心拍周期関連値周波数解析手段により算出された心拍周期関連値の低周波数成分および高周波数成分の周波数成分比の所定時間区間内における変化値とが前記出力制御手段により予め設定された回数以上出力された後に或いは予め設定された経過時間の経過後に、前記自動血圧測定手段による血圧測定を再度起動させる血圧測定再起動手段を、さらに含むことを特徴とする請求項１乃至６のいずれか１の自動血圧測定装置。
【請求項８】
前記脈波伝播速度関連値検出手段により検出された脈波伝播速度関連値のゆらぎを周波数解析して該ゆらぎの低周波数成分および高周波数成分の周波数成分比を算出する脈波伝播速度関連値周波数解析手段を、含み、
前記出力制御手段は、前記脈波伝播速度関連値検出手段により検出された脈波伝播速度関連値の所定時間区間内における変化値に代えて或いは加えて、前記脈波伝播速度関連値周波数解析手段により算出された脈波伝播速度関連値の低周波数成分および高周波数成分の周波数成分比の所定時間区間内における変化値を、前記心拍周期関連値周波数解析手段により算出された低周波数成分および高周波数成分の周波数成分比の所定時間区間内における変化値と共に出力するものであり、
前記脈波伝播速度関連値周波数解析手段および前記心拍周期関連値周波数解析手段は、測定中のそれぞれの区間を通してスペクトラム推定のモデルの次数を同一とすることを特徴とする請求項１乃至７のいずれか１の自動血圧測定装置。
【発明の詳細な説明】
【技術分野】
【０００１】
本発明は、生体の一部をカフを用いて圧迫したときに得られる脈拍同期波に基づいて該生体の血圧値を測定する自動血圧測定手段を備えた自動血圧測定装置に関し、特に、自律神経をトレーニングするための自律神経の活動状態を評価する機能を備えた自動血圧測定装置に関するものである。
【背景技術】
【０００２】
一般に、生体の血圧値に対する自律神経による制御は、たとえば図１０に示すように観念されている。すなわち、先ず血圧値を圧受容器或いは伸展受容器が検出し、たとえば血圧値が高い場合は交感神経の活動を抑制するために血管中枢から出されるノルアドレナリンを抑制すると同時にアセチルコリンを増加させて、心臓の心拍数を低下させ且つ心筋の収縮力を弱めて拍出圧を低く且つ拍出量を少なくし、容量血管（静脈）の収縮を弱めて拡張を行うことにより還流量を増加させ、同時に、抵抗血管（抹消血管）の収縮を弱めて抹消血管抵抗を低くして血圧値を低下させる。このような生体の血圧制御システムにおいて、心拍数による制御の方が応答性が高く、従来では、その心拍数のゆらぎが生体の自律神経の活動状態を示すパラメータであると評価されていたが、血圧値のゆらぎは生体の自律神経の活動状態を示すパラメータとしては、それほど評価されていなかった。
【０００３】
しかし、本発明者等は、血圧値は自律神経系の支配を受けて制御されており、基礎血圧値などの評価にはそのときの自律神経系の活動を示すパラメータを用いる必要があるために同時に記録することが必要であると考えるとともに、脳、環状動脈疾患のリスクを下げるために、自律神経系の活動、特に血圧を上昇させている交感神経系をコントロールして血圧を下げる訓練をすることができる装置を案出しようと考えた。
【０００４】
これらに関し、副交感神経、交感神経の自律神経活動を心拍数のゆらぎ（経時的変動）を周波数スペクトラム解析し、それにより得られる周波数成分の大きさに基づいて評価する装置が従来知られていた。また、血圧変動については、観血法により測定された血圧のゆらぎ（変動）を周波数スペクトラム解析し、評価することが行われていた。しかし、観血法による血圧測定は１拍毎の血圧値が直接的且つ連続的に得られるが、医療資格を有する術者を必要とし、外来や家庭において一般的に用いることができるものには成り得なかった。
【０００５】
これに対して、上記１拍毎の血圧値を非観血法による連続血圧測定装置を用いて測定することが考えられる。たとえば特許文献１に記載されたものがそれである。
【先行技術文献】
【特許文献】
【０００６】
【特許文献１】特開２００２−２７２６９０号公報
【発明の概要】
【発明が解決しようとする課題】
【０００７】
しかしながら、上記のような連続血圧測定装置を用いて血圧値を連続的に得ようとする場合には、比較的抹消部位の血圧値であるために精度が比較的得られ難いことや、専用の複雑な測定系が必要となって自律神経評価装置が大型且つ高価となるなどの問題があった。
【０００８】
本発明は、以上の事情を背景として為されたものであり、その目的とするところは、血圧測定と同時に自律神経の活動状態を比較的高い精度で評価でき、自律神経の活動状態と血圧値との関係を体得できることにより自律神経の活動をコントロールする訓練を可能とする簡便な自動血圧測定装置を提供することにある。
【課題を解決するための手段】
【０００９】
本発明者等は、以上の事情を背景として種々の実験を行った結果、心電図誘導波形を起点とし、血管系末梢部位の脈波形を遠位点とした計測において、生体の１拍毎に得られる脈波伝播時間ＰＷＴから換算された脈波伝播速度ＰＷＶ（＝Ｃ・Ｌ／ＰＷＴ、Ｃは血圧値換算定数）は、その生体１拍毎の血圧値と密接に相関して変動し、その脈波伝播時間の変動の周波数解析結果と生体１拍毎の血圧値変動の周波数解析結果とが同様の周波数スペクトラムをもたらすという点を見いだした。図１１には、本発明者等による実験結果であって、カテーテル等を用いる直接法により生体から実測された１拍毎の最高血圧値ＳＢＰが破線にて示され、生体から１拍毎に得られる脈波伝播時間ＰＷＴから換算された上記脈波伝播速度ＰＷＶが実線にて示されている。それら破線と実線とが同様の変化を示していることから、脈波伝播速度ＰＷＶは生体の血圧値と密接に相関していることが明らかである。本実験によるＰＷＴは、大動脈弁閉鎖から開放までの心室の収縮期の情報（心筋の収縮力）と脈波が伝播する動脈系の情報（末梢血管系の拡張、収縮）とを含んでおり、生体の血圧動揺と良く相関している。本発明はこの知見に基づいて為されたものである。
【００１０】
すなわち、請求項１に係る発明の要旨とするところは、（ａ）生体の一部をカフを用いて圧迫したときに動脈から得られる心拍同期波に基づいて該生体の血圧値を測定する自動血圧測定手段を備えた自動血圧測定装置であって、（ｂ）前記生体の脈波伝播時間に関連する脈波伝播速度関連値を逐次検出する脈波伝播速度関連値検出手段と、（ｃ）前記生体の心拍周期に関連する心拍周期関連値を逐次検出する心拍周期関連値検出手段と、（ｄ）その心拍周期関連値検出手段により検出された心拍周期関連値のゆらぎを周波数解析して該ゆらぎの低周波数成分および高周波数成分の周波数成分比を算出する心拍周期関連値周波数解析手段と、（ｅ）前記脈波伝播速度関連値検出手段により検出された脈波伝播速度関連値の所定時間区間内における変化値と、前記心拍周期関連値周波数解析手段により算出された心拍周期関連値の低周波数成分および高周波数成分の周波数成分比の所定時間区間内における変化値とを出力する出力制御手段とを、含むことにある。
【００１１】
また、請求項２に係る発明の要旨とするところは、請求項１に係る発明において、（ｆ）前記生体に装着する複数の電極を有し、該複数の電極に発生する信号に基づいて心電誘導波を出力する心電誘導装置と、前記生体の一部に装着されて該生体の動脈内を伝播する脈波を検出する脈波センサとを備え、（ｇ）前記脈波伝播速度関連値検出手段は、該心電誘導波に含まれるＲ波の発生時点からその脈波センサにより脈波が検出された発生時点までの時間差に基づいて脈波伝播速度関連値を検出するものであることにある。
【００１２】
また、請求項３に係る発明の要旨とするところは、請求項２に係る発明において、（ｈ）前記心電誘導装置の前記複数の電極の一部は、前記カフの内周面に配置されており、（ｉ）前記脈波センサは前記カフ内の圧力振動を用いて脈波を検出するものであることにある。
【００１３】
また、請求項４に係る発明の要旨とするところは、請求項２または３に係る発明において、（ｊ）前記心拍周期関連値検出手段は、前記心電誘導波に含まれるＲ波の発生時点間隔に基づいて心拍周期関連値を検出するものであることにある。
【００１４】
また、請求項５に係る発明の要旨とするところは、請求項１乃至４のいずれか１に係る発明において、（ｋ）前記出力制御手段は、前記脈波伝播速度関連値の所定時間区間内における変化値を示す軸と、前記心拍周期関連値周波数解析手段により算出された心拍周期関連値の低周波数成分および高周波数成分の周波数成分比の所定時間区間内における変化値を示す軸とを含む二次元座標において、該脈波伝播速度関連値の所定時間区間内における変化値と該心拍周期関連値の低周波数成分および高周波数成分の周波数成分比の所定時間区間内における変化値とを示す点を繰り返し表示出力するものであることにある。
【００１５】
また、請求項６に係る発明の要旨とするところは、請求項１乃至５のいずれか１の発明において、（ｌ）前記出力制御手段は、前記自動血圧測定手段による血圧測定時点からの、前記脈波伝播速度関連値の変化値、および、前記心拍周期関連値の低周波数成分および高周波数成分の周波数成分比の変化値とを示す点を算出し、所定の時間間隔で繰り返し表示出力するものであることを特徴とする。
【００１６】
また、請求項７に係る発明の要旨とするところは、請求項１乃至６のいずれか１に係る発明において、（ｍ）前記自動血圧測定手段による血圧測定が実行された後であって、前記脈波伝播速度関連値検出手段により検出された脈波伝播速度関連値の所定時間区間内における変化値と前記心拍周期関連値周波数解析手段により算出された心拍周期関連値の低周波数成分および高周波数成分の周波数成分比の所定時間区間内における変化値とが前記出力制御手段により予め設定された回数表示出力された後に、或いは予め設定された経過時間の経過後に、前記自動血圧測定手段による血圧測定を再度起動させる血圧測定再起動手段を、さらに含むことにある。
【００１７】
また、請求項８に係る発明の要旨とするとろは、請求項１乃至７のいずれか１に係る発明において、（ｎ）前記脈波伝播速度関連値検出手段により検出された脈波伝播速度関連値のゆらぎを周波数解析して該ゆらぎの低周波数成分および高周波数成分の周波数成分比を算出する脈波伝播速度関連値周波数解析手段を、含み、（ｏ）前記出力制御手段は、前記脈波伝播速度関連値検出手段により検出された脈波伝播速度関連値の所定時間区間内における変化値に代えて或いは加え、前記脈波伝播速度関連値周波数解析手段により算出された脈波伝播速度関連値の低周波数成分および高周波数成分の周波数成分比の所定時間区間内における変化値を、前記心拍周期関連値周波数解析手段により算出された低周波数成分および高周波数成分の周波数成分比の所定時間区間内における変化値と共に出力するものであり、（ｐ）前記脈波伝播速度関連値周波数解析手段および前記心拍周期関連値周波数解析手段は、測定中のそれぞれの区間を通してスペクトラム推定のモデルの次数を同一とすることにある。
【発明の効果】
【００１８】
請求項１に係る発明の自動血圧測定装置によれば、（ｂ）前記生体の脈波伝播時間に関連する脈波伝播速度関連値を逐次検出する脈波伝播速度関連値検出手段と、（ｃ）前記生体の心拍周期に関連する心拍周期関連値を逐次検出する心拍周期関連値検出手段と、（ｄ）その心拍周期関連値検出手段により検出された心拍周期関連値のゆらぎを周波数解析して該ゆらぎの低周波数成分および高周波数成分の周波数成分比を算出する心拍周期関連値周波数解析手段と、（ｅ）前記脈波伝播速度関連値検出手段により算出された脈波伝播速度関連値の所定時間区間内における変化値と、前記心拍周期関連値周波数解析手段により算出された低周波数成分および高周波数成分の周波数成分比の所定時間区間内における変化値とを出力する出力制御手段とを、含むことから、心拍周期関連値のゆらぎの周波数解析からは心臓の心拍数制御に関わる自律神経系の活動状態と、脈波伝搬速度関連値のゆらぎの周波数解析からは、心臓の収縮力制御に関わる自律神経系の活動状態と、動脈血管系の拡張および収縮による末梢血管抵抗の制御に関わる自律神経系の活動状態とを別々に把握できる。前記心拍周期関連値周波数解析手段により算出された高周波数成分のスペクトラムは副交感神経系の活動を反映し、低周波数成分のスペクトラムは交感神経系、副交感神経系両方の活動が可能な領域であるが、その周波数成分比をもって交感神経系の活動を反映する指標とすることができる。一方、前記脈波伝播速度関連値周波数解析手段により算出された高周波数成分のスペクトラムは心臓の前負荷の変動に起因した心筋の収縮力の変動を反映していると考えられ、副交感神経系の心臓の収縮力を制御する活動を反映し、低周波数成分のスペクトラムは脈波伝播速度関連値との比較により、動脈血管系の収縮による末梢血管抵抗の制御に関わる交感神経系の活動を容易に把握できる。これにより、生体の血圧値の動揺に関連する脈波伝播速度関連値の所定時間区間内における変化値と、生体の交感神経の動揺に対応する周波数成分比の所定時間区間内における変化値とを見ることで自律神経の活動状態を容易に把握できるので、被測定者の血圧測定時において自律神経の活動状態を小型且つ簡単な装置で評価でき、自律神経の活動状態と血圧値との関係を体得できることにより自律神経の活動をコントロールする訓練が可能となる。また、上記脈波伝播時間は、心臓から所定の部位までの中枢部位の情報を容易に得ることができることから、比較的高い精度で中枢の血圧値に対応する脈波伝播時間が得られる。
【００１９】
ここで、生体の交感神経系の制御系としての応答は0.15Hz以下であり、生体の副交感神経系は0.4Hzまでは応答が可能であることが知られている。心拍数制御には交感神経系と副交感神経系の両方が関与しているが、心拍変動の0.40Hz以上の高周波成分のスペクトラムは副交感神経系の活動に対応しているが0.15Hz以下の低周波数成分のスペクトラムは両方が関与している可能性があり交感神経系の活動を特定できない。一方、血圧変動の末梢血管抵抗による制御は交感神経系により専ら行われており、その0.15Hz以下の低周波数成分のスペクトラムは交感神経系の活動に対応している。従って、請求項１に係る発明では、心拍周期関連値で示される心拍数変動、脈波伝播速度関連値で示される血圧変動の両方を測定する事が自律神経系の客観的評価することが可能となっている。
【００２０】
また、請求項２に係る発明の自動血圧測定装置によれば、（ｆ）前記生体に装着する複数の電極を有し、該複数の電極に発生する信号に基づいて心電誘導波を出力する心電誘導装置と、前記生体の一部に装着されて該生体の動脈内を伝播する脈波を検出する脈波センサとを備え、（ｇ）前記脈波伝播速度関連値検出手段は、該心電誘導波に含まれるＲ波の発生時点からその脈波センサにより脈波が検出された発生時点までの時間差に基づいて脈波伝播速度関連値を検出するものであるので、心筋の収縮時点から脈波が脈波センサに到達するまでの脈波伝播速度関連値が容易に検出される。
【００２１】
また、請求項３に係る発明の自動血圧測定装置によれば、（ｈ）前記心電誘導装置の前記複数の電極の一部は、前記カフの内周面に配置されており、（ｉ）前記脈波センサは前記カフ内の圧力振動を用いて脈波を検出するものであることから、生体にカフを装着することで同時に電極および脈波センサを装着することができ、装着作業が簡単となる。
【００２２】
また、請求項４に係る発明の自動血圧測定装置によれば、（ｊ）前記心拍周期関連値検出手段は、前記心電誘導波に含まれるＲ波の発生時点間隔に基づいて心拍周期関連値を検出するものであることから、脈波間隔からの場合に比較して、正確な心拍周期関連値が得られる。
【００２３】
また、請求項５に係る発明の自動血圧測定装置によれば、（ｋ）前記出力制御手段は、前記脈波伝播速度関連値の所定時間区間内における変化値を示す軸と、前記心拍周期関連値の低周波数成分および高周波数成分の周波数成分比の所定時間区間内における変化値を示す軸とを含む二次元座標において、その脈波伝播速度関連値の所定時間区間内における変化値とその心拍周期関連値の低周波数成分および高周波数成分の周波数成分比の所定時間区間内における変化値とを示す点を繰り返し表示出力するものであるので、数値表示や棒グラフ等の表示に比較して、自律神経の活動状態を正確に把握できる利点がある。
【００２４】
また、請求項６に係る発明の自動血圧測定装置によれば、請求項１乃至５のいずれか１の発明において、（ｌ）前記出力制御手段は、前記自動血圧測定手段による血圧測定時点からの、前記脈波伝播速度関連値のゆらぎの主周波数成分の変化値、および、前記心拍周期関連値の低周波数成分および高周波数成分の周波数成分比の変化値とを示す点を算出し、所定の時間間隔で繰り返し表示出力するものであることから、前回の血圧測定以後の自律神経の活動状態を容易に把握することができる。
【００２５】
また、請求項７に係る発明の自動血圧測定装置によれば、（ｍ）前記自動血圧測定手段による血圧測定が実行された後であって、前記脈波伝播速度関連値検出手段により検出された脈波伝播速度関連値の所定時間区間内における変化値と前記心拍周期関連値周波数解析手段により算出された心拍周期関連値の低周波数成分および高周波数成分の周波数成分比の所定時間区間内における変化値とが前記出力制御手段により予め設定された回数以上表示出力された後に、或いは予め設定された経過時間の経過後に、前記自動血圧測定手段による血圧測定を再度起動させる血圧測定再起動手段が、さらに含まれることから、自律神経の活動状態と血圧値との関係を繰り返し体得できるので、自律神経の活動をコントロールする訓練が容易となる。
【００２６】
また、請求項８に係る発明の自動血圧測定装置によれば、（ｎ）前記脈波伝播速度関連値検出手段により検出された脈波伝播速度関連値のゆらぎを周波数解析して該ゆらぎの低周波数成分および高周波数成分の周波数成分比を算出する脈波伝播速度関連値周波数解析手段を、含み、（ｏ）前記出力制御手段は、前記脈波伝播速度関連値検出手段により検出された脈波伝播速度関連値の所定時間区間内における変化値に代えて或いは加えて、前記脈波伝播速度関連値周波数解析手段により算出された脈波伝播速度関連値の低周波数成分および高周波数成分の周波数成分比の所定時間区間内における変化値を、前記心拍周期関連値周波数解析手段により算出された低周波数成分および高周波数成分の周波数成分比の所定時間区間内における変化値と共に出力するものであり、（ｐ）前記脈波伝播速度関連値周波数解析手段および前記心拍周期関連値周波数解析手段は、測定中のそれぞれの区間を通してスペクトラム推定のモデルの次数を同一とすることから、脈波伝播速度関連値周波数解析手段および前記心拍周期関連値周波数解析手段のスペクトラム推定の次数のとり方の相違による周波数解析スペクトラムでのパワーの大きさの相違が解消されるので、出力制御手段により出力される、脈波伝播速度関連値の低周波数成分および高周波数成分の周波数成分比の所定時間区間内における変化値と心拍周期関連値周波数解析手段により算出された低周波数成分および高周波数成分の周波数成分比の所定時間区間内における変化値との対比が正確となる利点がある。ここで、一般に、スペクトラム解析において汎用されるフーリェ法で得られるスペクトラムは解析的であるがスペクトラムに多数のピークが現れ有効なピークの判断が困難である。ＡＲ法及びＭＥＭ法はピークの検出に優れており、心拍動揺解析に良く用いられる。ＡＲ法及びＭＥＭ法は時系列データに依存してスペクトラム推定のモデルの次数が決定される。しかし、モデルの次数の取り方によってはスペクトラムのパワーに影響が現れることが分かった。このため、スペクトラムの変化やトレンドの監視、異なる種類のスペクトラム比較の精度を高めるためにスペクトラム推定のモデルの次数を共通とすることで、上記脈波伝播速度関連値の低周波数成分および高周波数成分の周波数成分比の所定時間区間内における変化値と心拍周期関連値周波数解析手段により算出された低周波数成分および高周波数成分の周波数成分比の所定時間区間内における変化値との対比が正確となるのである。
【図面の簡単な説明】
【００２７】
【図１】本発明の一実施例の自律神経評価機能付の自動血圧測定装置の全体的な構成を説明する斜視図である。
【図２】図１の自動血圧測定装置の電気的な制御系の構成を説明するブロック図である。
【図３】図２の電子制御装置の制御機能の要部を説明する機能ブロック線図である。
【図４】図３の脈波伝播速度関連値周波数解析検出手段における周波数解析前の脈波伝播時間hbＰＷＴの時間的変化（ゆらぎ）を示す図である。
【図５】図３の脈波伝播速度関連値周波数解析検出手段によって図４の脈波伝播時間hbＰＷＴを周波数解析した結果である周波数スペクトラムを示す図である。
【図６】図３の心拍周期関連値周波数解析検出手段における周波数解析前の心拍周期ＲＲＩの時間的変化（ゆらぎ）を示す図である。
【図７】図３の心拍周期関連値周波数解析検出手段によって図６の心拍周期ＲＲＩを周波数解析した結果である周波数スペクトラムを示す図である。
【図８】図３の出力制御段によって脈波伝播時間hbＰＷＴの所定区間の変化量ΔhbＰＷＴを示す軸と心拍周期ＲＲＩの低周波成分ＬＦおよび高周波成分ＨＦの周波数成分比ＬＦ／ＨＦの所定時間区間内における変化値ｄＬＦ／ＨＦを示す軸とから成る二次元座標内に、上記変化量ΔhbＰＷＴおよび変化値ｄＬＦ／ＨＦを示す点を表示した例を示す図である。
【図９】図２の電子制御装置の制御作動の要部を説明するフローチャートである。
【図１０】生体内において行われている血圧値制御の機序を説明する図である。
【図１１】本発明者等による実験結果であって、カテーテル等を用いる直接法により生体から実測された１拍毎の最高血圧値ＳＢＰを破線にて示し、生体から１拍毎に得られる脈波伝播時間ＰＷＴから換算された上記脈波伝播速度ＰＷＶを実線にて示す、時間的変化を示す図である。
【発明を実施するための形態】
【００２８】
以下、本発明の好適な実施例を図面に基づいて詳細に説明する。なお、以下の実施例において説明に用いる図は適宜簡略化或いは変形されており、各部の寸法比及び形状等は必ずしも正確に描かれていない。
【実施例】
【００２９】
図１は、本発明の一実施例である自律神経評価機能付の自動血圧測定装置１０の全体的な構成を説明する斜視図である。この自動血圧測定装置１０は、生体の一部たとえば上腕部に巻回されるカフ１２と、ＥＣＧ電極１４a 、１４b を含む複数のＥＣＧ電極１４と、本体１６の上面に設けられた複数のキーを有する入力キーボード１８と、本体１６の前面に設けられた画像表示器２０と、本体１６の側面に設けられた出力プリンタ２２とを備え、カフ１２が巻回され且つ複数のＥＣＧ電極１４が装着された生体の血圧を測定して血圧測定値ＢＰを画像表示器２０に表示させる一方で、その生体の自律神経の活動度の評価値として、脈波伝播速度関連値の変化値たとえば脈波伝播速度ＰＷＶの所定時間区間での変化値ΔＰＷＶと、心拍周期ＲＲＩのゆらぎを周波数解析したときに得られるたとえば０．７５乃至２Ｈｚ程度の周波数帯の低周波数成分とたとえば０．２５乃至０．３５Ｈｚ程度の周波数帯の高周波数成分との周波数成分比（ピークの高さ比、信号電力比）（ＬＦ／ＨＦ）RRI の所定区間或いは単位時間あたりの変化値（ΔＬＦ／ＨＦ）RRI とを示す点を、画像表示器２０の２次元座標内に順次表示させるとともに、必要に応じて出力プリンタ２２から出力させる。また、脈波伝播時間ＰＷＴのゆらぎを周波数解析したときに得られるたとえば０．７５乃至２Ｈｚ程度の周波数帯の低周波数成分とたとえば０．２５乃至０．３５Ｈｚ程度の周波数帯の高周波数成分との周波数成分比（ＬＦ／ＨＦ）PWT の所定区間或いは単位時間あたりの変化値（ΔＬＦ／ＨＦ）PWT と、上記変化値（ΔＬＦ／ＨＦ）RRI とを示す点を、画像表示器２０の2次元座標内に順次表示させるとともに、必要に応じて出力プリンタ２２から出力させる。
【００３０】
図２は、上記自動血圧測定装置１０を構成する制御回路を説明するブロック線図である。図２において、自動血圧測定装置１０には、カフ１２へ空気を供給するための電動型の空気ポンプ２６と、そのカフ１２と空気ポンプ２６との間の配管に設けられてそのカフ１２内へ急速供給し、カフ１２内の圧力を所定の低下速度で低下制御し、カフ１２内の空気圧を急速排圧する圧力制御弁２８と、カフ１２内の圧迫圧力を検出するためにカフ１２と圧力制御弁２８との間の配管に設けられた圧力センサ３０とが設けられている。圧力センサ３０によって検出された圧力はＡ／Ｄ変換器３２を介して電子制御装置３４へ供給される。
【００３１】
電子制御装置３４は、良く知られたＣＰＵ、ＲＯＭ、ＲＡＭ、インターフェース、外部記憶装置等を有する所謂マイクロコンピュータであって、予めＲＯＭ等に記憶されたプログラムに従って入力信号を処理し、演算結果を画像表示器２０および出力プリンタ２２に、カフ１２から出力させる。入力キーボード１８は、入力されたキーに対応する信号たとえば起動／停止キーの操作に応答して起動／停止信号を電子制御装置３４へ供給する。心電誘導装置３６は、生体の心臓を挟む部位に装着或いは貼着される複数のＥＣＧ電極１４を備え、その生体の心電誘導波信号をＡ／Ｄ変換器３８を介して電子制御装置３４へ供給する。この心電誘導装置３６の前記複数のＥＣＧ電極１４の一部の電極１４b は、カフ１２の内周面に配置されているが、カフ１２とは独立に手或いは足に装着されてもよい。電子制御装置３４は、駆動制御回路４０を介して空気ポンプ２６を駆動するとともに圧力制御弁２８を制御する。また、電子制御装置３４は、駆動制御回路４２を介して画像表示器２０およびプリンタ２２を制御する。
【００３２】
図３は、上記電子制御装置３４の制御機能の要部を説明する機能ブロック線図である。自動血圧測定手段５０は、生体の一部たとえば上腕部に装着されたカフ１２の圧力を最高血圧値よりも十分に高く予め設定された昇圧目標値まで急速昇圧させた後に所定の速度で徐速降圧させ、その徐速降圧の過程で圧力センサ３０の出力信号からバンドパスフィルタを通して得られる交流成分である心拍同期波（カフ１２内において心拍或いは脈拍に同期して発生する圧力振動信号：オシロメトリック信号）の大きさの変化に基づいてたとえばカフ１２内の圧力振動を示すカフ脈波の大きさの差分の最大値に基づいて生体の最高血圧値ＳＢＰおよび最低血圧値ＤＢＰを決定し、その最低血圧値ＤＢＰが決定されると、カフ１２の圧力を急速排圧させる。
【００３３】
脈波伝播速度関連値検出手段５２は、たとえば心電誘導装置３６から出力される心電誘導波のＲ波の発生時点から、生体の一部に装着された脈波センサによる脈波の検出時点たとえば上腕に巻回されたカフ１２内の圧力振動の発生時点までの脈波伝播時間hbＰＷＴを脈波伝播速度関連値として逐次検出たとえば１拍毎或いは数拍毎に繰り返し検出する。この脈波伝播速度関連値とは、脈波伝播速度ＰＷＶに１対１に密接に関連するパラメータであり、上記脈波伝播時間hbＰＷＴのみならず脈波伝播速度（Ｌ／hbＰＷＴ、但しＬは生体の心臓から生体の上腕に巻回されたカフ１２までの伝播距離である）であってもよい。また、上記心臓から上腕までの脈波伝播時間hbＰＷＴは、心音マイクロホンにより検出された心音の発生時点からカフ１２内の圧力振動の発生時点までの時間差が計測されることによって検出されてもよい。また、上記カフ１２内の圧力振動の発生時点に代えて、耳たぶに装着される光電脈波センサ、指先に装着される指尖脈波センサ、或いは手首に装着される圧脈波センサによる脈波発生時点が用いられてもよい。カフ１２内の圧力振動の発生を検出する場合には、好適には、カフ１２内を所定圧たとえば予め設定された最低血圧値ＤＢＰより低い値とした状態で検出される。
【００３４】
脈波伝播速度関連値周波数解析手段５４は、上記脈波伝播速度関連値検出手段５２により検出された脈波伝播時間（脈波伝播速度関連値）hbＰＷＴの所定時間区間内における変化値ΔhbＰＷＴを、算出する。また、脈波伝播速度関連値周波数解析手段５４は、上記脈波伝播速度関連値検出手段５２により検出された脈波伝播速度関連値のゆらぎ（変動）をスペクトラム推定のモデルを用いて周波数解析し、スペクトラム上に表れた、そのゆらぎの主周波数成分ＭＦおよびその大きさＰmfを算出する。この主周波数成分ＭＦの大きさとは、ピーク値の大きさであってもよいし、そのピークの面積に対応する信号電力（信号パワー）であってもよい。脈波伝播速度関連値周波数解析手段５４は、上記脈波伝播速度関連値検出手段５２により検出された生体の脈波伝播時間（脈波伝播速度関連値）hbＰＷＴのゆらぎを周波数解析してそのゆらぎの低周波数成分ＬＦおよび高周波数成分ＨＦの周波数成分比（ＬＦ／ＨＦ）PWT を算出する。この脈波伝播速度関連値周波数解析手段５４による上記周波数解析手法について以下に説明する。
【００３５】
ここで、上記脈波伝播速度関連値は１拍毎の不等間隔の時系列データ｛ｘ：x（t0），x（t1）,・・・, x（tn）｝であるので、この時系列データを２Ｈｚの等間隔データとしてLagrange法によりリサンプリングする｛ｘ（n）：x（Δt）,x（2*Δt）,・・・,x（n*Δt）;Δt=0.5[sec]｝。ＡＲ法により仮定されるスペクトラム推定のモデルは下記の数式１で示される。下記数式１において、ωn  は白色ノイズである。なお、ＭＥＭ法ではガウス分布の白色ノイズが用いられる。
【００３６】
【数１】
0005584111.tif 000002
【００３７】
即ちデータｘ（n）がp次の自己回帰過程に従って生成される。実際のデータと上記モデルのp次の打ち切り誤差を白色ノイズωn  で補完する。上記モデルで次数pを決定すると、ＡＲ係数ak  がユールウォーカ方程式から決定できる。この結果推定されるスペクトラムは下記の数式２で示される。下記数式２において、σp2  は白色ノイズωn  の分散を表す。
【００３８】
【数２】
0005584111.tif 000003
【００３９】
ＡＲ法におけるモデルの次数pは通常単調減少する２乗予測誤差σi2  が減少しなくなった時点の次数として時系列データ毎に最適に選定される。実際は時系列データ間で決定される次数がかなり異なり、スペクトラムが大きく異なることが多い。このため本法では時系列データの相関時間、得られるスペクトラムの最低周波数LF0はある程度予測されているので、あらかじめ決定しておく手法を採用した。p=（1/Δt）*（1/LF0）。Δt=0.5[sec]、LF0=0.06[Hz]のときp=32に決定される。これを、一連の周波数解析に適用した。
【００４０】
図４は周波数解析される１乃至２分の所定区間内の伝播時間hbＰＷＴのゆらぎを示し、図５はその所定区間内の伝播時間hbＰＷＴが周波数解析された後の周波数解析スペクトラムを示している。図５の周波数解析スペクトラムにおいて、０．２乃至０．３５Ｈｚの周波数帯域において主周波数成分ＭＦが示され、０．２８Ｈｚ付近にピーク値が示されている。上記伝播時間hbＰＷＴから算出される脈波伝播速度ＰＷＶ（＝Ｃ・Ｌ／hbＰＷＴ、Ｃは血圧値換算定数）も、上記図４および図５に示すものと同様の、ゆらぎおよび周波数スペクトラムを示す。
【００４１】
心拍周期関連値検出手段５６は、たとえば心電誘導装置３６から出力される心電誘導波のＲ波の発生時点の間隔を求めることにより、生体の心拍周期ＲＲＩに関連する心拍周期関連値を逐次検出たとえば１拍毎或いは数拍毎に繰り返し検出する。この心拍周期関連値とは、心拍周期に１対１に密接に関連するパラメータであり、上記生体の心拍周期ＲＲＩのみならずカフ１２内の圧力振動の発生周期や別途設けられる脈波センサにより検出される脈拍の検出周期であってもよい。
【００４２】
心拍周期関連値周波数解析手段５８は、上記心拍周期関連値検出手段５６により検出された生体の心拍周期（心拍周期関連値）ＲＲＩのゆらぎを周波数解析してそのゆらぎの低周波数成分ＬＦおよび高周波数成分ＨＦの周波数成分比（ＬＦ／ＨＦ）RRI を算出する。図６は周波数解析される１分乃至２分程度の所定区間の生体の心拍周期ＲＲＩのゆらぎを示し、図７はその所定区間の生体の心拍周期ＲＲＩが周波数解析された後の周波数解析スペクトラムを示している。図７の０．４Ｈｚまでの周波数帯域の周波数解析スペクトラムにおいては２つのピークが示され、０．０５乃至０．２Ｈｚの周波数帯域において低周波数成分ＬＦが示され、０．２３乃至０．３５Ｈｚの周波数帯域において高周波数成分ＨＦが示されている。この心拍周期関連値周波数解析手段５８は、上記脈波伝播速度関連値周波数解析手段５４と同様のスペクトラム推定のモデル式と同様の次数とを用いて周波数解析を行う。
【００４３】
出力制御手段６０は、上記脈波伝播速度関連値検出手段５２により検出された脈波伝播時間（脈波伝播速度関連値）hbＰＷＴの所定時間区間内における変化値ΔhbＰＷＴと、心拍周期関連値周波数解析手段５８により算出された心拍周期（心拍周期関連値）ＲＲＩのゆらぎの低周波数成分ＬＦおよび高周波数成分ＨＦの周波数成分比（ＬＦ／ＨＦ）RRI の所定時間区間内における変化値（ｄＬＦ／ＨＦ）RRI とを、オペレータ或いは被測定者が同時に認識できるように、数値、グラフ、画像等の形態で画像表示器２０および／またはプリンタ２２へ共に出力する。出力制御手段６０は、たとえば図８に示すように、上記脈波伝播時間（脈波伝播速度関連値）hbＰＷＴの所定時間区間内における変化値ΔhbＰＷＴを示す横軸６３と、心拍周期関連値周波数解析手段５８により算出された低周波数成分ＬＦおよび高周波数成分ＨＦの周波数成分比（ＬＦ／ＨＦ）の所定時間区間内における変化値（ｄＬＦ／ＨＦ）RRI を示す縦軸６４とを含む直交二次元座標において、その脈波伝播時間hbＰＷＴの所定時間区間内における変化値ΔhbＰＷＴと低周波数成分ＬＦおよび高周波数成分ＨＦの周波数成分比（ＬＦ／ＨＦ）RRI の所定時間区間内における変化値（ｄＬＦ／ＨＦ）RRI とを示す点（白丸印）Ｐn 、Ｐn+1 、Ｐn+2 を、１分乃至数分程度の周期で繰り返し表示出力する。上記所定時間区間は、たとえば自動血圧測定手段５０による血圧測定時点からの経過時間区間であり、上記の脈波伝播時間hbＰＷＴの変化値ΔhbＰＷＴと低周波数成分ＬＦおよび高周波数成分ＨＦの周波数成分比（ＬＦ／ＨＦ）RRI の変化値（ｄＬＦ／ＨＦ）RRI とは、自動血圧測定手段５０による血圧測定時点からの変化値（変化量）である。その変化値は、一定周期毎の変化量をそれまでの変化値に加えたものである。
【００４４】
また、上記出力制御手段６０は、さらに、脈波伝播速度関連値５２により算出された生体の脈波伝播時間（脈波伝播速度関連値）hbＰＷＴのゆらぎの低周波数成分ＬＦおよび高周波数成分ＨＦの周波数成分比（ＬＦ／ＨＦ）PWT の所定時間区間内における変化値（ｄＬＦ／ＨＦ）PWT と、心拍周期関連値周波数解析手段５８により算出された心拍周期ＲＲＩのゆらぎの低周波数成分ＬＦおよび高周波数成分ＨＦの周波数成分比ＬＦ／ＨＦの所定時間区間内における変化値（ｄＬＦ／ＨＦ）RRI とを、オペレータ或いは被測定者が同時に認識できるように、数値、グラフ、画像等の形態で画像表示器２０および／またはプリンタ２２へ共に出力する。出力制御手段６０は、たとえば図８に示すように、上記脈波伝播時間（脈波伝播速度関連値）hbＰＷＴの所定時間区間内におけるゆらぎの低周波数成分ＬＦおよび高周波数成分ＨＦの周波数成分比（ＬＦ／ＨＦ）PWT の所定時間区間内における変化値（ｄＬＦ／ＨＦ）PWT を示す横軸６３と、心拍周期関連値周波数解析手段５８により算出された低周波数成分ＬＦおよび高周波数成分ＨＦの周波数成分比（ＬＦ／ＨＦ）RRI の所定時間区間内における変化値（ｄＬＦ／ＨＦ）RRI を示す縦軸６４とを含む直交二次元座標において、その脈波伝播時間hbＰＷＴの所定時間区間内における変化値ΔhbＰＷＴと低周波数成分ＬＦおよび高周波数成分ＨＦの周波数成分比（ＬＦ／ＨＦ）PWT の所定時間区間内における変化値（ｄＬＦ／ＨＦ）PWT とを示す点（黒丸印）Ｐn 、Ｐn+1 、Ｐn+2 を、１分乃至数分程度の周期で繰り返し表示出力する。
【００４５】
血圧測定再起動手段６２は、自動血圧測定手段５０による血圧測定が実行された後であって、脈波伝播速度関連値検出手段５２により検出された脈波伝播時間（脈波伝播速度関連値）hbＰＷＴの所定時間区間内における変化値ΔhbＰＷＴと、心拍周期関連値周波数解析手段５８により算出された低周波数成分ＬＦおよび高周波数成分ＨＦの周波数成分比（ＬＦ／ＨＦ）RRI の所定時間区間内における変化値（ｄＬＦ／ＨＦ）RRI とが、出力制御手段６０によって予め設定された回数以上出力された後、或いは自動血圧測定手段５０による血圧測定が実行されてからたとえば１０分程度の予め設定された時間が経過後に、自動血圧測定手段５０による血圧測定を再度起動させ、その血圧測定結果を、出力制御手段６０によって画像表示器２０或いはプリンタ２２に表示出力させる。
【００４６】
図９は、上記電子制御装置３４の制御作動の要部を説明するためのフローチャートである。生体の上腕部にカフ１２が装着され且つ複数個のＥＣＧ電極１４が生体の所定位置に装着された状態で図示しない起動入力キーの操作によって自動血圧測定装置１０が起動されると、自動血圧測定手段５０に対応するステップＳ１（以下、ステップを省略する）において、生体の血圧測定ルーチンが実行される。すなわち、空気ポンプ２６の作動下で圧力制御弁２８が制御されることにより、上腕部に装着されたカフ１２の圧力が最高血圧値よりも十分に高く予め設定された昇圧目標値まで急速昇圧させられた後に所定の速度で徐速降圧させられる。この徐速降圧の過程で圧力センサ３０の出力信号からバンドパスフィルタを通して得られる交流成分である心拍同期波（カフ１２内において心拍或いは脈拍に同期して発生する圧力振動信号：オシロメトリック信号）の大きさの変化に基づいてたとえばカフ１２内の圧力振動を示すカフ脈波の大きさの差分の最大値に基づいて生体の最高血圧値ＳＢＰおよび最低血圧値ＤＢＰが決定され、その最低血圧値ＤＢＰが決定されると、カフ１２の圧力を急速排圧させられる。
【００４７】
次いで、脈波伝播速度関連値検出手段５２および心拍周期関連値検出手段５６に対応するＳ２では、たとえば心電誘導装置３６から出力される心電誘導波のＲ波の発生時点から、生体の一部に装着された脈波センサによる脈波の検出時点たとえば上腕に巻回されたカフ１２内の圧力振動の発生時点までの脈波伝播時間hbＰＷＴが脈波伝播速度関連値としてたとえば１拍毎或いは数拍毎に繰り返し検出される。また、たとえば心電誘導装置３６から出力される心電誘導波のＲ波の発生時点の間隔が求められることにより、生体の心拍周期ＲＲＩに関連する心拍周期関連値がたとえば１拍毎或いは数拍毎に繰り返し検出される。
【００４８】
続いて、脈波伝播速度関連値周波数解析手段５４および心拍周期関連値周波数解析手段５８に対応するＳ３では、上記Ｓ２により検出された脈波伝播時間（脈波伝播速度関連値）hbＰＷＴのゆらぎ（変動）が周波数解析されてたとえば０．２乃至０．３５Ｈｚの周波数帯域において発生するそのゆらぎの主周波数成分ＭＦおよびその大きさＰmfが算出される。また、上記Ｓ２により検出された生体の心拍周期（心拍周期関連値）ＲＲＩのゆらぎが周波数解析されてそのゆらぎのたとえば０．０５乃至０．２Ｈｚ程度の周波数帯域の低周波数成分ＬＦおよびたとえば０．２３乃至０．３５Ｈｚ程度の周波数帯域の高周波数成分ＨＦの周波数成分比（ＬＦ／ＨＦ）RRI が、低周波数成分ＬＦおよび高周波数成分ＨＦのピーク値の比、或いは低周波数成分ＬＦおよび高周波数成分ＨＦの面積比などとして算出される。
【００４９】
次に、出力制御手段６０に対応するＳ４では、上記Ｓ３により検出された脈波伝播時間（脈波伝播速度関連値）hbＰＷＴの所定時間区間内における変化値ΔhbＰＷＴと、心拍周期関連値周波数解析手段５８により算出された低周波数成分ＬＦおよび高周波数成分ＨＦの周波数成分比（ＬＦ／ＨＦ）RRI の所定時間区間内における変化値（ｄＬＦ／ＨＦ）RRI とが、オペレータ或いは被測定者が同時に認識できるように、数値、グラフ、画像等の形態で画像表示器２０および／またはプリンタ２２へ共に出力される。たとえば図８に示すように、上記脈波伝播時間（脈波伝播速度関連値）hbＰＷＴの所定時間区間内における変化値ΔhbＰＷＴを示す軸６３と、心拍周期関連値周波数解析手段５８により算出された低周波数成分ＬＦおよび高周波数成分ＨＦの周波数成分比（ＬＦ／ＨＦ）RRI の所定時間区間内における変化値（ｄＬＦ／ＨＦ）RRI を示す軸６４とを含む直交二次元座標において、その脈波伝播時間hbＰＷＴの所定時間区間内における変化値ΔhbＰＷＴと低周波数成分ＬＦおよび高周波数成分ＨＦの周波数成分比（ＬＦ／ＨＦ）RRI の所定時間区間内における変化値（ｄＬＦ／ＨＦ）RRI とを示す白丸表示の点Ｐn 、Ｐn+1 、Ｐn+2 が、１分乃至数分程度の周期で繰り返し表示されることにより出力される。同様に、脈波伝播時間hbＰＷＴのゆらぎの低周波数成分ＬＦおよび高周波数成分ＨＦの周波数成分比（ＬＦ／ＨＦ）PWT の所定時間区間内における変化値（ｄＬＦ／ＨＦ）PWT と、低周波数成分ＬＦおよび高周波数成分ＨＦの周波数成分比（ＬＦ／ＨＦ）RRI の所定時間区間内における変化値（ｄＬＦ／ＨＦ）RRI とを示す黒丸表示の点Ｐn 、Ｐn+1 、Ｐn+2 が、１分乃至数分程度の周期で繰り返し表示されることにより出力される。
【００５０】
Ｓ５では、Ｓ１における血圧測定時点以後において、Ｓ２（脈波伝播速度関連値検出手段５２）により検出された脈波伝播時間（脈波伝播速度関連値）hbＰＷＴの所定時間区間内における変化値ΔhbＰＷＴ、および、生体の脈波伝播時間（脈波伝播速度関連値）hbＰＷＴのゆらぎの低周波数成分ＬＦおよび高周波数成分ＨＦの周波数成分比（ＬＦ／ＨＦ）PWT の所定時間区間内における変化値（ｄＬＦ／ＨＦ）PWT と、Ｓ３（心拍周期関連値周波数解析手段５８）により算出された低周波数成分ＬＦおよび高周波数成分ＨＦの周波数成分比（ＬＦ／ＨＦ）RRI の所定時間区間内における変化値（ｄＬＦ／ＨＦ）RRI とが、Ｓ４（出力制御手段６０）によって予め設定された回数以上出力されたか否か、或いは自動血圧測定手段５０による血圧測定が実行されてからたとえば１０分程度の予め設定された時間が経過したか否かが判断される。このＳ５の判断が否定されるうちは上記Ｓ２以下が繰り返し実行される。
【００５１】
しかし、上記Ｓ５の判断が肯定されると、血圧測定再起動手段６２に対応するＳ６において、自動血圧測定手段５０による血圧測定を再度起動させ、その血圧測定結果を、出力制御手段６０によって画像表示器２０或いはプリンタ２２に表示出力させる。
【００５２】
上述のように、本実施例の自動血圧測定装置１０によれば、生体の脈波伝播時間（脈波伝播速度関連値）hbＰＷＴを逐次検出する脈波伝播速度関連値検出手段５２と、生体の心拍周期（心拍周期関連値）ＲＲＩを逐次検出する心拍周期関連値検出手段５６と、その心拍周期関連値検出手段５６により検出された心拍周期関連値ＲＲＩのゆらぎを周波数解析してそのゆらぎの低周波数成分ＬＦおよび高周波数成分ＨＦの周波数成分比（ＬＦ／ＨＦ）RRI を算出する心拍周期関連値周波数解析手段５８と、脈波伝播速度関連値周波数解析手段５４により算出された脈波伝播時間（脈波伝播速度関連値）hbＰＷＴの所定時間区間内における変化値ΔhbＰＷＴと心拍周期関連値周波数解析手段５８により算出された低周波数成分ＬＦおよび高周波数成分ＨＦの周波数成分比（ＬＦ／ＨＦ）RRI の所定時間区間内における変化値（ｄＬＦ／ＨＦ）RRI とを出力する出力制御手段６０とを、含むことから、生体の血圧値の動揺に関連する脈波伝播時間（脈波伝播速度関連値）hbＰＷＴの所定時間区間内における変化値ΔhbＰＷＴと、生体の交感神経の動揺に対応する心拍周期（心拍周期関連値）ＲＲＩの周波数成分比（ＬＦ／ＨＦ）RRI の所定時間区間内における変化値（ｄＬＦ／ＨＦ）RRI とを見ることで自律神経の活動状態を容易に把握できるので、被測定者の血圧測定時において自律神経の活動状態を小型且つ簡単な装置で評価でき、自律神経の活動状態と血圧値との関係を体得できることにより自律神経の活動をコントロールする訓練が可能となる。また、上記脈波伝播時間は、心臓から所定の部位までの中枢部位の情報を容易に得ることができることから、比較的高い精度で中枢の血圧値に対応する脈波伝播時間が得られる。ここで、心拍周期関連値のゆらぎの周波数解析からは心臓の心拍数制御に関わる自律神経系の活動状態と、脈波伝搬速度関連値のゆらぎの周波数解析からは、心臓の収縮力制御に関わる自律神経系の活動状態と、動脈血管系の拡張、収縮による末梢血管抵抗の制御に関わる自律神経系の活動状態とを別々に把握できる。前記心拍周期関連値周波数解析手段により算出された高周波数成分のスペクトラムは副交感神経系の活動を反映し、低周波数成分のスペクトラムは交感神経系、副交感神経系両方の活動が可能な領域であるが、その周波数成分比をもって交感神経系の活動を反映する指標とすることができる。一方、前記脈波伝播速度関連値周波数解析手段により算出された高周波数成分のスペクトラムは心臓の前負荷の変動に起因した心筋の収縮力の変動を反映していると考えられ、副交感神経系の心臓の収縮力を制御する活動を反映し、低周波数成分のスペクトラムは脈波伝播速度関連値との比較により、動脈血管系の収縮による末梢血管抵抗の制御に関わる交感神経系の活動を容易に把握できる。
【００５３】
また、本実施例の自動血圧測定装置１０によれば、生体に装着する複数のＥＣＧ電極１４を有し、その複数のＥＣＧ電極１４に発生する信号に基づいて心電誘導波を出力する心電誘導装置３６と、生体の一部に装着されてその生体の動脈内を伝播する脈波を検出する脈波センサ（たとえばカフ１２）とを備え、脈波伝播速度関連値検出手段５２は、その心電誘導波に含まれるＲ波の発生時点からその脈波センサにより脈波が検出された発生時点までの時間差に基づいて脈波伝播時間（脈波伝播速度関連値）hbＰＷＴを検出するものであることから、心筋の収縮時点から脈波が脈波センサに到達するまでの脈波伝播速度関連値が容易に検出される。
【００５４】
また、本実施例の自動血圧測定装置１０によれば、心電誘導装置３６の複数のＥＣＧ電極１４の一部のＥＣＧ電極１４b は、カフ１２の内周面に配置されており、脈波センサとしてはカフ１２内の圧力振動を用いて脈波を検出するものであることから、生体にカフ１２を装着することで同時にＥＣＧ電極１４b および脈波センサを装着することができ、装着作業が簡単となる。
【００５５】
また、本実施例の自動血圧測定装置１０によれば、心拍周期関連値検出手段５６は、心電誘導装置３６から出力される心電誘導波に含まれるＲ波の発生時点間隔に基づいて心拍周期（心拍周期関連値）ＲＲＩを検出するものであることから、脈波間隔からの場合に比較して、正確な心拍周期（心拍周期関連値）ＲＲＩが得られる。
【００５６】
また、本実施例の自動血圧測定装置１０によれば、出力制御手段６０は、脈波伝播時間（脈波伝播速度関連値）hbＰＷＴの所定時間区間内における変化値ΔhbＰＷＴを示す軸６３と、心拍周期（心拍周期関連値）ＲＲＩの低周波数成分ＬＦおよび高周波数成分ＨＦの周波数成分比（ＬＦ／ＨＦ）RRI の所定時間区間内における変化値（ｄＬＦ／ＨＦ）RRI を示す軸６４とを含む直交二次元座標において、その脈波伝播時間（脈波伝播速度関連値）hbＰＷＴの所定時間区間内における変化値ΔhbＰＷＴとその心拍周期（心拍周期関連値）ＲＲＩの低周波数成分ＬＦおよび高周波数成分ＨＦの周波数成分比（ＬＦ／ＨＦ）RRI の所定時間区間内における変化値（ｄＬＦ／ＨＦ）RRI とを示す点Ｐn を繰り返し表示出力するものであることから、数値表示や棒グラフ等の表示に比較して、自律神経の活動状態を正確に把握できる利点がある。
【００５７】
また、本実施例の自動血圧測定装置１０によれば、出力制御手段６０は、自動血圧測定手段５０による血圧測定時点からの脈波伝播時間（脈波伝播速度関連値）hbＰＷＴの所定時間区間内における変化値ΔhbＰＷＴ、および、心拍周期（心拍周期関連値）ＲＲＩの低周波数成分ＬＦおよび高周波数成分ＨＦの周波数成分比（ＬＦ／ＨＦ）RRI の所定時間区間内における変化値（ｄＬＦ／ＨＦ）RRI とを示す点Ｐn を算出し、所定の時間間隔で繰り返し表示出力するものであることから、前回の血圧測定以後の自律神経の活動状態を容易に把握することができる。
【００５８】
また、本実施例の自動血圧測定装置１０によれば、自動血圧測定手段５０による血圧測定が実行された後であって、脈波伝播速度関連値検出手段５２により検出された脈波伝播時間（脈波伝播速度関連値）hbＰＷＴの所定時間区間内における変化値ΔhbＰＷＴと心拍周期関連値周波数解析手段５８により算出された心拍周期（心拍周期関連値）ＲＲＩの低周波数成分ＬＦおよび高周波数成分ＨＦの周波数成分比（ＬＦ／ＨＦ）RRI の所定時間区間内における変化値（ｄＬＦ／ＨＦ）RRI とが出力制御手段６０により予め設定された回数以上表示出力された後に、或いは予め設定された経過時間を経過した後に、自動血圧測定手段５０による血圧測定を再度起動させる血圧測定再起動手段６２が、さらに含まれることから、自律神経の活動状態と血圧値との関係を繰り返し体得できるので、自律神経の活動をコントロールする訓練が容易となる。
【００５９】
また、本実施例の自動血圧測定装置１０によれば、脈波伝播速度関連値検出手段５２により検出された脈波伝播速度関連値のゆらぎを周波数解析してそのゆらぎの低周波数成分および高周波数成分の周波数成分比（ＬＦ／ＨＦ）PWT を算出する脈波伝播速度関連値周波数解析手段５４を、含み、出力制御手段６０は、その脈波伝播速度関連値周波数解析手段５４により算出された脈波伝播速度関連値の低周波数成分および高周波数成分の周波数成分比（ＬＦ／ＨＦ）PWT の所定時間区間内における変化値（ｄＬＦ／ＨＦ）PWT と、心拍周期関連値周波数解析手段５８により算出された低周波数成分および高周波数成分の周波数成分比（ＬＦ／ＨＦ）RRI の所定時間区間内における変化値（ｄＬＦ／ＨＦ）RRI とを共に出力するものであり、脈波伝播速度関連値周波数解析手段５４および心拍周期関連値周波数解析手段５８は、測定中のそれぞれの区間を通してスペクトラム推定のモデルの次数を同一とすることから、脈波伝播速度関連値周波数解析手段５４および心拍周期関連値周波数解析手段５８のスペクトラム推定の次数のとり方の相違による周波数解析スペクトラムでのパワーの大きさの相違が解消されるので、出力制御手段６０により出力される、脈波伝播時間（脈波伝播速度関連値）hbＰＷＴの低周波数成分および高周波数成分の周波数成分比（ＬＦ／ＨＦ）PWT の所定時間区間内における変化値（ｄＬＦ／ＨＦ）PWT と心拍周期関連値周波数解析手段５８により算出された心拍周期ＲＲＩのゆらぎの低周波数成分および高周波数成分の周波数成分比（ＬＦ／ＨＦ）RRI の所定時間区間内における変化値（ｄＬＦ／ＨＦ）RRI との対比が正確となる利点がある。
【００６０】
なお、本実施例の自動血圧測定装置１０によれば、出力制御手段６０は、図８の横軸を共通の軸として、脈波伝播時間（脈波伝播速度関連値）hbＰＷＴの所定時間区間内における変化値ΔhbＰＷＴと脈波伝播時間（脈波伝播速度関連値）hbＰＷＴのゆらぎの低周波数成分および高周波数成分の周波数成分比（ＬＦ／ＨＦ）PWT の所定時間区間内における変化値（ｄＬＦ／ＨＦ）PWT とを共に表示するものであったが、それら変化値ΔhbＰＷＴおよび変化値（ｄＬＦ／ＨＦ）PWT の一方を表示するものであってもよい。また、出力制御手段６０は、図８に示す二次元図表を分離して、脈波伝播時間（脈波伝播速度関連値）hbＰＷＴの所定時間区間内における変化値ΔhbＰＷＴと心拍周期関連値周波数解析手段５８により算出された心拍周期（心拍周期関連値）ＲＲＩのゆらぎの低周波数成分ＬＦおよび高周波数成分ＨＦの周波数成分比（ＬＦ／ＨＦ）RRI の所定時間区間内における変化値（ｄＬＦ／ＨＦ）RRI とを示す二次元図表と、脈波伝播時間（脈波伝播速度関連値）hbＰＷＴのゆらぎの低周波数成分および高周波数成分の周波数成分比（ＬＦ／ＨＦ）PWT の所定時間区間内における変化値（ｄＬＦ／ＨＦ）PWT と心拍周期ＲＲＩのゆらぎの低周波数成分および高周波数成分の周波数成分比（ＬＦ／ＨＦ）RRI の所定時間区間内における変化値（ｄＬＦ／ＨＦ）RRI とを示す二次元図表とを、別々の表示するものであってもよい。
【００６１】
その他、一々例示はしないが、本発明はその趣旨を逸脱しない範囲内において種々の変更が加えられて実施されるものである。
【符号の説明】
【００６２】
１０：自動血圧測定装置
１２：カフ（脈波センサ）
１４：ＥＣＧ電極（電極）
３６：心電誘導装置
５０：自動血圧測定手段
５２：脈波伝播速度関連値検出手段
５４：脈波伝播速度関連値周波数解析手段
５６：心拍周期関連値検出手段
５８：心拍周期関連値周波数解析手段
６０：出力制御手段
６２：血圧測定再起動手段
【図１】
0005584111.tif 000004
【図２】
0005584111.tif 000005
【図３】
0005584111.tif 000006
【図４】
0005584111.tif 000007
【図５】
0005584111.tif 000008
【図６】
0005584111.tif 000009
【図７】
0005584111.tif 000010
【図８】
0005584111.tif 000011
【図９】
0005584111.tif 000012
【図１０】
0005584111.tif 000013
【図１１】
0005584111.tif 000014